(57)【特許請求の範囲】
【請求項１】
撒き餌を収容し水中で撒き餌を放出する撒き餌かごであって、
前記撒き餌を内部に詰めるための開口部を有し、内部に前記撒き餌を収容し得る本体と、
前記本体に対して回転及びスライドして開閉し、前記開口部を塞ぐ入り口フタと、
前記本体に連結され、釣り糸を通す道糸結合部材と、を備え、
前記入り口フタが前記開口部を塞いだとき、前記本体及び前記入り口フタの外形が水滴形状あるいは流線形状である、撒き餌かご。
【請求項２】
その側面各点における接線が、沈降時に周囲を流れる水の流れ方向に略一致する、請求項１に記載の撒き餌かご。
【請求項３】
縦断面外形が水滴形状あるいは流線形状である、請求項１又は２に記載の撒き餌かご。
【請求項４】
横断面外形が流線形状である、請求項１から３のいずれかに記載の撒き餌かご。
【請求項５】
前記本体は、前記撒き餌を放出するための開口が形成された中本体と、前記中本体とで前記開口部を形成する下本体と、を有し、
前記本体の上下動により上下にスライドし、前記開口を塞ぐ側部フタと、
上端に前記道糸連結部材が固定され、前記中本体の内部空間へ延びる下端に前記側部フタに固定される摺動軸と、
前記摺動軸に下端が固定される調整バネと、
前記調整バネの上端及び前記摺動軸を支持し、前記中本体に螺合する調整ネジと、
をさらに備える、請求項１から４のいずれかに記載の撒き餌かご。
【発明の詳細な説明】
【０００１】
【発明の属する技術分野】
本発明は、撒き餌を収容し水中で撒き餌を放出する撒き餌かごに関する。
【０００２】
【従来の技術】
撒き餌は、釣りにおいて魚を寄せ付け、水中に沈めた仕掛けに魚がかかりやすくするものである。この撒き餌を収容して水中において放出する容器が撒き餌かごであって、撒き餌かごは仕掛けとともに水中に沈められる。撒き餌かごは、従来円筒形であり、上下が略円錐形となっていたり（特開平９−１５４４６２号公報、特開平１０−８４８２６号公報参照）、上下が砲弾状（椀状）の形状となっている（特開平９−２４８１１３号公報参照）。
【０００３】
【発明が解決しようとする課題】
上記のように、従来の撒き餌かごは、円筒部と、円錐部あるいは椀状部（以下、円錐部等という。）とから構成されているものが多い。このような撒き餌かごは、上下に円錐部等を有するため、仕掛けとともに水中に沈めるときの降下速度がある程度確保されている。すなわち、円錐部あるいは椀状部の存在が、撒き餌かご降下時の水の抵抗を小さくしている。
【０００４】
しかし、釣りにおいては、仕掛けをなるべく早く狙った水域に降下させることが要求される。このため、撒き餌かごについても、より速い降下速度、より安定した降下進路を確保できるものが求められている。上記の円筒部及び円錐部等から成る撒き餌かごの場合、円筒部から円錐部等に変化する部分で断面積が急激に変化するため、この部分で降下中に渦列が発生し易い。この渦列は、撒き餌かごの降下を妨げて降下速度を遅くするとともに、降下進路の安定を損なう要因となる。
【０００５】
本発明の課題は、撒き餌かごの降下速度及び降下進路の安定性を向上させることにある。
【０００６】
また、海釣りでは水中において潮の流れが存在するが、この潮の流れによる横からの力を受けて撒き餌かごが横に流されると、仕掛けが隣の釣り人の仕掛けと絡まってしまう恐れがある。
【０００７】
本発明の別の課題は、横からの水流に流されにくい撒き餌かごを提供することにある。
【０００８】
【課題を解決するための手段】
発明１に係る撒き餌かごは、撒き餌を収容し水中で撒き餌を放出する撒き餌かごであって、本体と、入り口フタと、道糸結合部材とを備えている。本体は、撒き餌を内部に詰めるための開口部を有し、内部に撒き餌を収容することができる。入り口フタは、本体に対して回転及びスライドして開閉し、開口部を塞ぐ。道糸結合部材は、釣り糸を通す部材であり、本体に連結されている。入り口フタが開口部を塞いだとき、本体及び入り口フタの外形が水滴形状あるいは流線形状である。
【０００９】
本発明では、撒き餌かごの形状を水滴形状あるいは流線形状としたため、円筒部分が存在せず、円筒部と円錐形等との結合部分のような断面形状の急激に変化する部分がなくなる。このため、従来の撒き餌かごに較べて降下時の渦列の発生が抑制され、撒き餌かごの降下速度及び降下進路の安定性が向上する。
【００１０】
また、撒き餌かごの形状が水滴形状あるいは流線形状であれば、潮の流れなどの横からの力（水流）が撒き餌かごに作用した場合にも、横からの水流が撒き餌かごの周囲をスムーズに流れる。このため、撒き餌かごが横からの水流により流され難くなる。
【００１１】
さらに、この撒き餌かごでは、本体の開口部から撒き餌を本体内部に入れ、フタで本体の開口部を塞いで水中に沈める。撒き餌かごは道糸結合部材で釣り糸と結ばれており、釣り糸の動きに応じて水中で撒き餌を放出する。撒き餌は、フタと本体との間、あるいは本体に設けられた別の開口等から放出される。そして、撒き餌かごの外形を形成する本体及び入り口フタの沈降時の外形が水滴形状あるいは流線形状とされているため、撒き餌かごの降下速度及び降下進路の安定性が従来よりも向上する。
【００１２】
発明２に係る撒き餌かごは、発明１に記載の撒き餌かごであって、その側面各点における接線が、沈降時に周囲を流れる水の流れ方向に略一致している。
【００１３】
撒き餌かごの沈降時には水が相対的に撒き餌かごに対して流れることになる。本発明では、この撒き餌かごに対する水の流れが、概ね撒き餌かごの側面に沿った流れとなる。すなわち、撒き餌かごを水滴形あるいは流線形として、側面各点における接線が沈降時の水の流れの向きに概ね一致するようにしているため、撒き餌かごの沈降時に撒き餌かごの側面に沿って水が流れる。したがって、沈降時に撒き餌かごの周囲における渦列の発生が抑えられ、撒き餌かごの降下速度及び降下進路の安定性が向上する。
【００１４】
発明３に係る撒き餌かごは、発明１又は２に記載の撒き餌かごであって、縦断面外形が水滴形状あるいは流線形状である。
【００１５】
本発明では、縦断面形状が水滴形状あるいは流線形状であるため、降下時の渦列の発生が抑制され、撒き餌かごの降下速度及び降下進路の安定性が向上する。
【００１６】
発明４に係る撒き餌かごは、発明１から３のいずれかに記載の撒き餌かごであって、横断面外形が流線形状である。
【００１７】
本発明では、横断面外形が流線形状であるため、海における潮の流れのような横からの水流が撒き餌かごに作用したときにも、撒き餌かごが横から受ける力の大きさがそれ程大きくならない。したがって、本発明の撒き餌かごは、従来よりも横からの水流に流され難いものとなる。
【００１８】
発明５に係る撒き餌かごは、発明１から４のいずれかに記載の撒き餌かごであって、本体は、撒き餌放出用の開口が形成された中本体と、中本体とで開口部を形成する下本体と、を有し、本体の上下動により上下にスライドし、開口を塞ぐ側部フタと、上端に道糸連結部材が固定され、中本体の内部空間へ延びる下端が側部フタに固定される摺動軸と、摺動軸に下端が固定される調整バネと、調整バネの上端及び摺動軸を支持し、中本体に螺合する調整ネジと、をさらに備える。
【００１９】
【発明の実施の形態】
＜全体構成＞
本発明の一実施形態に係る撒き餌かごを図１及び図２に示す。図１は撒き餌かご１の側面図、図２は撒き餌かご１の一部断面平面図である。この撒き餌かご１は、主として、下本体２と、中本体３と、上本体４と、入り口フタ５と、側部フタ６と、摺動軸７と、調整バネ８と、調節ネジ９と、留め具１０とから構成されている。
【００２０】
＜下本体＞
下本体２は、図３に示すような形状の樹脂加工部品であり、外殻２１と、２つの円柱状突起２２とから構成されている。図３（ａ）は平面図、図３（ｂ）は上面図、図３（ｃ）は図３（ａ）のＣ−Ｃ断面図である。
【００２１】
外殻２１には、下端に孔２１ｂ、両側部にそれぞれ孔２１ｃが形成されている。孔２１ｂは、図１に示すように、重りや仕掛け等を連結するための下スイベル１２を固定ネジ１１によって下本体２の下端に固定するために設けられている。孔２１ｃは、後述する中本体３の結合孔３１ｅ（図４及び図５参照）に対応する位置に形成されている。
【００２２】
また、各円柱状突起２２は、外殻２１の上端に形成されている円弧状上縁部の両端から、互いに向かい合うように内側に突出している。
【００２３】
なお、本実施形態では下スイベル１２に重りを連結するタイプの撒き餌かご１を示しているが、下本体２の下部に予め重りを固定しておくことも可能である。
【００２４】
＜中本体＞
中本体３は、図４及び図５に示すような形状の樹脂加工部品であり、外殻３１と、円錐部３２とから構成されている。図４（ａ）は平面図、図４（ｂ）は側面図、図４（ｃ）は上面図である。
【００２５】
外殻３１の下縁部の一部には、切り口が円弧となるような切欠き３１ａが形成されている。この切欠き３１ａは、図１及び図２に示すように、入り口フタ５の上部の形状と一致する。外殻３１の両側部には、角形開口３１ｂが形成されている。左右対称に設けられたこれらの角形開口３１ｂは、後述する側部フタ６の内周面６１ａ，６２ａによって塞がれる。また、外殻３１には、撒き餌放出時に水を通すための通孔３１ｃ、留め具１０を取り付けるための取り付け孔３１ｄ、及び下本体２との結合のための結合孔３１ｅも形成されている。さらに、外殻３１の角形開口３１ｂの上方部分には、後述する側部フタ６のスライドフタ部６１，６２と摺動する摺動面３１ｆが形成されている。摺動面３１ｆは、円筒の外周面の一部に相当する湾曲を有する面となっている。
【００２６】
円錐部３２は、外殻３１とともに一体的に形成されるもので、撒き餌かご１の組み上がり時には上本体４が被せられる。円錐部３２と外殻３１との間には環状突起を含む結合部３３が形成されており、この結合部３３により中本体３と上本体４とが結合される。また、円錐部３２の側部には通孔３２ａが、上端には円孔３２ｂが形成されている。この円孔３２ｂには、図１及び図２に示すように、摺動軸７が貫通し、調節ネジ９がねじ込まれる。
【００２７】
＜上本体＞
上本体４は、図６に示すような形状の樹脂加工部品である。図６（ａ）は一部断面側面図、図４（ｂ）は上面図である。上本体４は、上述のように中本体３の円錐部３２に被せられるものであって、円錐部３２の通孔３２ａに重なり得る通孔４ａ、上端に形成された開口４ｂ、及び下縁部の内面に形成された環状溝を含む結合部４ｃを有している。この上本体４の結合部４ｃと中本体３の結合部３３とが係合することによって、中本体３と上本体４とが結合される。
【００２８】
＜入り口フタ＞
入り口フタ５は、図７に示すような形状の樹脂加工部品である。図７（ａ）は平面図、図７（ｂ）は側面図、図７（ｃ）は上面図である。入り口フタ５は、フタ部５１と、ヒンジ部５２とから構成されている。この入り口フタ５は、下本体２と中本体３とが組み合わされたときに出来る下側部の開口を塞ぐことのできるものであり、フタ部５１の外形が下本体２の外殻２１の湾曲面及び中本体３の外殻３１の湾曲面と同様に湾曲している。
【００２９】
ヒンジ部５２は、フタ部５１の両側部に固定されているもので、長円孔５２ａが形成されている。この長円孔５２ａは、図１に示すように、下本体２の各円柱状突起２２と係合する。したがって、入り口フタ５は、円柱状突起２２に支持されるようになり、円柱状突起２２に対する回転及び円柱状突起２２に対する長円孔５２ａの係止部分のスライドによって開閉する（図９参照）。なお、図９に示すように、入り口フタ５を開けるときには、留め具１０を回して留め具１０による入り口フタ５の係止（図１参照）を解除する。
【００３０】
＜側部フタ＞
側部フタ６は、図８に示すような形状の樹脂加工部品であり、中央のボス部６４と、中本体３の角形開口３１ｂを塞ぐように左右対称に配置されるスライドフタ部６１，６２と、これらを結合する棒状部６３とから構成されている。図８（ａ）は上面図、図８（ｂ）は一部断面平面図である。
【００３１】
ボス部６４に形成されている中心孔６５には摺動軸７の下端が挿入固定されており、側部フタ６は、摺動軸７の上下移動に従って上下にスライドする。スライドフタ部６１，６２の内周面６１ａ，６２ａは、図８（ａ）に示すように円筒の内周面の一部に相当する面であって、外殻３１の摺動面３１ｆと接触している。
【００３２】
＜摺動軸，調整バネ，調節ネジ＞
摺動軸７は、鉛直方向に延びる軸であり、上本体４の上方から上本体４の内部空間及び中本体３の内部空間へと延びている。摺動軸７の下端には側部フタ６が固定され、上端には道糸を連結するための上スイベル１３が固定される。この摺動軸７は、調整バネ８及び調節ネジ９によって本体２，３，４に対して上下移動可能に支持されている。
【００３３】
調整バネ８は、摺動軸７の本体２，３，４に対する移動のし易さを調整するために設けられるもので、下端が摺動軸７に固定されるバネ押さえ部材に当接し、上端が調節ネジ９に支持されているバネ押さえ部材に当接している。調節ネジ９は中本体３の円孔３２ｂにねじ込まれるが、この調節ネジ９によって調整バネ８の圧縮度合いを変えることが可能である。すなわち、調節ネジ９により調整バネ８の圧縮度合いを変えることによって、摺動軸７のスライドのし易さが変わり、摺動軸７の下端に固定される側部フタ６のスライドのし易さが変わる。
【００３４】
＜留め具＞
留め具１０は、下本体２及び中本体３に対する入り口フタ５の閉の状態（図１に示す状態）を保持及び保持解除するために設けられている部材である。この留め具１０は、中本体３に取り付けられるもので、外側のつまみ部１０ａと内側の係止部１０ｂとが中本体３の取り付け孔３１ｄを貫通する連結部でつながっている。つまみ部１０ａ及び係止部１０ｂは、それぞれ細長い形状を有しており、鉛直方向に延びているときには入り口フタ５の上端を外側及び内側から挟むことができ、鉛直方向に直交する向きにひねられたときには入り口フタ５から離れる。
【００３５】
また、つまみ部１０ａは、鉛直方向に延びて入り口フタ５を閉状態に保っているときに、鉛直方向に対して流線形状となる。
【００３６】
＜撒き餌かごの外形＞
以上の各構成部品により組み上げられた撒き餌かご１の外形は、主として、下本体２の外殻２１、中本体３の外殻３１、上本体４、入り口フタ５のフタ部５１、及び側部フタ６のスライドフタ部６１，６２の外面により形成される（図１及び図２参照）。そして、図に示すように、これらから形成される撒き餌かご１の外形は、水滴形状（流線形状）となっている。すなわち、撒き餌かご１は、その側面各点における接線が、撒き餌かご１の沈降時に周囲を流れる水の流れ方向に概ね一致するようになっている。
【００３７】
＜撒き餌かごの動作＞
釣り人は、重りや仕掛け等を下スイベル１２に、道糸を上スイベル１３に連結して、撒き餌かご１を重りや仕掛けとともに水中に沈める。この撒き餌かご１には、入り口フタ５を図９に示すように開けて、予めオキアミ等の撒き餌が詰められる。撒き餌かご１を水中に入れるときには、図１に示すように留め具１０によって入り口フタ５が閉められた状態とされる。
【００３８】
撒き餌かご１が水中を沈降していくときには、入り口フタ５及び側部フタ６により開口部分が塞がれているため、撒き餌が放出されない。
【００３９】
そして、狙った水域に仕掛けや撒き餌かご１が到達すると、釣り人が竿を上下させて道糸を引くことによって側部フタ６がスライドし、中本体３の角形開口３１ｂから撒き餌が放出される。
【００４０】
＜撒き餌かごの特徴＞
本実施形態においては、撒き餌かご１の外形を水滴形状として沈降時に周囲を流れる水が渦巻くことを抑えている。すなわち、各縦断面の外形線の曲線において曲率が急激に変化する部分をなくし、撒き餌かご１の降下速度及び降下進路の安定性を向上させている。したがって、外形に円筒部分を有するような従来の撒き餌かごに較べて、水中での降下速度が向上している。
【００４１】
実際のテスト結果を表１及び表２に示す。
【００４２】
【表１】
0004266464.tif 000002
【００４３】
【表２】
0004266464.tif 000003
【００４４】
このテストでは、本実施形態の撒き餌かご１と、図１１に示すように主として円筒部及び円錐部から成る従来の撒き餌かご９９とを、和歌山県南部沖において、同一のリールから糸を繰り出しながら、重り８０号をつけて水深５０ｍまで沈降させた。表１はロッド不使用時のテスト結果を、表２はロッド使用時のテスト結果を示している。いずれのテスト結果でも、従来の撒き餌かご９９を使用するよりも本実施形態の撒き餌かご１を使用したほうが、約２秒早く、狙った水域（水深５０ｍ）に降下していることがわかる。
【００４５】
［他の実施形態］
上記実施形態は、縦断面の外形形状が水滴形状（流線形状）となる撒き餌かご１であるが、さらに横断面の外形形状も流線形状となる撒き餌かご１０１（図１０参照）を製作することもできる。図１０（ａ）は撒き餌かご１０１の側面図、図１０（ｂ）は平面図、図７（ｃ）は下面図である。
【００４６】
これらの図から明らかなように、撒き餌かご１０１は、縦断面の外形形状が流線形状であるとともに、横断面の外形形状も流線形状である。したがって、上記撒き餌かご１と同様に降下速度及び降下進路の安定性が向上しているとともに、潮の流れなど横からの水流に流されにくい性質を有している。
【００４７】
すなわち、撒き餌かご１０１の横断面の外形が流線形状であるため、海における潮の流れのような横からの水流が撒き餌かご１０１に作用したときにも、横断面形状が円形である場合に較べて横から受ける力の大きさがそれ程大きくならない。したがって、撒き餌かご１０１は、横からの水流に流され難いものとなる。
【００４８】
【発明の効果】
本発明では、従来の撒き餌かごに較べて降下時の渦列の発生が抑制され、撒き餌かごの降下速度及び降下進路の安定性が向上する。
【００４９】
また、別の本発明では、潮の流れなどの横からの力（水流）が撒き餌かごに作用した場合にも、撒き餌かごが横方向に流され難くなる。
【図面の簡単な説明】
【図１】  本発明の一実施形態に係る撒き餌かごの側面図。
【図２】  撒き餌かごの一部断面平面図。
【図３】  撒き餌かごの下本体図。
【図４】  撒き餌かごの中本体図。
【図５】  図４（ｃ）のV-V断面図。
【図６】  撒き餌かごの上本体図。
【図７】  撒き餌かごの入り口フタ図。
【図８】  撒き餌かごの側部フタ図。
【図９】  入り口フタの開状態図。
【図１０】  他の実施形態の撒き餌かご図。
【図１１】  従来の撒き餌かごの平面図。
【符号の説明】
１，１０１    撒き餌かご
２    下本体
３    中本体
４    上本体
５    入り口フタ
６    側部フタ
７    摺動軸
１２    下スイベル
１３    上スイベル
【図１】
0004266464.tif 000004
【図２】
0004266464.tif 000005
【図３】
0004266464.tif 000006
【図４】
0004266464.tif 000007
【図５】
0004266464.tif 000008
【図６】
0004266464.tif 000009
【図７】
0004266464.tif 000010
【図８】
0004266464.tif 000011
【図９】
0004266464.tif 000012
【図１０】
0004266464.tif 000013
【図１１】
0004266464.tif 000014